(57)【要約】【課題】本発明は、本体構成において、加熱コイル上方に配置させた絶縁板を天板支持体に固定すること。【解決手段】加熱コイル１６と、加熱コイル１６を下方から支持する支持体１７と、加熱コイル１６を駆動させるインバータ基板１８と、加熱コイル１６上方に配置された耐熱性の絶縁材からなる天板１１と、天板１１を下方から支持する天板支持体１２と、天板支持体１２を支持する外郭１４を備え、天板支持体１２には、耐熱性の絶縁板２２が、加熱コイル１６上方を覆設する位置に固定された構成により、コストをかけずに、加熱コイルと絶縁板の空隙を確保して、冷却性能を満足させるとともに、誤って本体を落として、天板が割れたとしても、感電等の心配がなく安全性が高くなる。【選択図】図１
2010211980.tif 000002
【特許請求の範囲】
【請求項１】
加熱コイルと、前記加熱コイルを下方から支持する支持体と、前記加熱コイルを駆動させるインバータ基板と、前記加熱コイル上方に配置された耐熱性の絶縁材からなる天板と、前記天板を下方から支持する天板支持体と、前記天板支持体を支持する外郭を備え、前記天板支持体には、耐熱性の絶縁板が、前記加熱コイル上方を覆設する位置に固定された誘導加熱調理器。
【請求項２】
天板支持体の天板の下方には、複数の穴を設けた載置面を有し、前記複数の穴と絶縁板の複数の爪が、嵌合することにより、前記絶縁板は、前記天板支持体上に固定された請求項１に記載の誘導加熱調理器。
【請求項３】
絶縁板は、天板支持体の載置面に耐熱性のある接着剤で固定された請求項１または２記載の誘導加熱調理器。
【請求項４】
絶縁板は、天板支持体の載置面に締結手段で固定された請求項１〜３のいずれか１項に記載の誘導加熱調理器。
【発明の詳細な説明】
【技術分野】
【０００１】
本発明は、誘導加熱調理器の本体構成に関するものである。
【背景技術】
【０００２】
従来、この種の誘導加熱調理器の本体構成としては、例えば、加熱コイルの上面に耐熱性の絶縁板が配置され、その絶縁板は加熱コイルを支持している支持体に固定されることで、加熱コイルへのフライパン等の鍋からの輻射熱を遮熱しているものがあった（例えば、特許文献１参照）。
【０００３】
図１５、１６は前記文献に記載された従来の本体構成を示すものである。図１５、１６において、セラミックプレート等で構成された天板１があり、天板１を下方から天板支持体２によって支持されている。天板支持体２の下方には、外郭３があり本体を構成している。天板１の下方には、加熱コイル４が配置され鍋の加熱を行う。加熱コイル４は、樹脂性の支持体５により下方から支持され、支持体５の下方には、加熱コイル３を駆動するインバータ基板６が固定されている。加熱コイル３の上方には、耐熱性の絶縁板７が覆設され、絶縁板７は支持体５に固定された加熱コイル保持台８に固定されている。
【特許文献１】特開２００４−３３５２９５号公報
【発明の開示】
【発明が解決しようとする課題】
【０００４】
しかしながら、前記従来の構成では、加熱コイル３の冷却のため、絶縁板７と加熱コイル３の間に空隙を設ける必要があるが、その際、絶縁板７を固定するのに、加熱コイル保持台８という別部品を必要となるため、コストがかかったり、また、固定箇所が加熱コイル保持台８があるところに限られるため、絶縁板７がたわんだりして、確実に加熱コイル３と絶縁板７の間に空隙が確保できないという課題を有していた。
【０００５】
本発明は、上記従来の課題を解決するもので、本体構成において、コストをかけずに、加熱コイルと絶縁板の空隙を確保して、冷却性能を満足させるとともに、誤って本体を落として、天板が割れたとしても、充電部が露出せず、感電等の心配のない安全性の高い機器を提供することを目的とする。
【課題を解決するための手段】
【０００６】
前記従来の課題を解決するために、本発明は、加熱コイル上方に配置させた絶縁板を天板支持体に固定する構成としたものである。
【０００７】
これによって、安価に冷却性能を満足し、さらに本体を落として天板を割ってしまったとしても、感電することがなく安全性が高くなる。
【発明の効果】
【０００８】
本発明の誘導加熱調理器は、部品点数を少なくして、絶縁板を加熱コイル上に覆設するように固定し、また確実に加熱コイルと絶縁板に空隙を設けることができるため、加熱コイルの冷却性能を効率よく満足させた信頼性の高い機器を提供できる。
【０００９】
また、絶縁板は充電部である加熱コイルを覆設しているため、万が一、本体を落として天板を割ってしまったとしても、充電部は露出しないため、その後誤って使用者が通電しても、使用者は充電部を触ることができず感電することがないため、安全性の高い機器をも提供できる。
【発明を実施するための最良の形態】
【００１０】
第１の発明は、加熱コイルと、前記加熱コイルを下方から支持する支持体と、前記加熱コイルを駆動させるインバータ基板と、前記加熱コイル上方に配置された耐熱性の絶縁材からなる天板と、天板を下方から支持する天板支持体と、天板支持体を支持する外郭を備え、前記天板支持体には、耐熱性の絶縁板が、前記加熱コイル上方を覆設する位置に固定された構成とすることにより、安価に冷却性能を満足し、さらに本体を落として天板を割ってしまったとしても、感電することがない安全性の高い機器をも提供できる。
【００１１】
第２の発明は、特に、第１の発明において、天板支持体の天板の下方には、複数の穴を設けた載置面を有し、複数の穴と絶縁板の複数の爪が、嵌合することにより、前記絶縁板を、前記天板支持体上に固定された構成とすることにより、容易に絶縁板を固定できるため、組立性のよい機器を提供できる。
【００１２】
第３の発明は、特に、第１または第２の発明の絶縁板を、天板支持体の載置面に耐熱性のある接着剤で固定された構成とすることにより、確実に絶縁板を固定することができる信頼性の高い機器を提供できる。
【００１３】
第４の発明は、特に、第１〜第３の発明の絶縁板を、天板支持体の載置面に締結手段で固定された構成とすることにより、より確実に絶縁板を固定することができる信頼性の高い機器を提供できる。
【００１４】
以下、本発明の実施の形態について、図面を参照しながら説明する。なお、本実施の形態によって本発明が限定されるものではない。
【００１５】
（実施の形態１）
図１〜４は本発明の第１の実施の形態における誘導加熱調理器の天板を外した上面図、絶縁体を外した上面図、断面図、詳細断面図を示すものである。
【００１６】
図１〜４において、鍋等を載置するセラミックプレート等で構成された天板１１があり、天板１１を下方から外周部分のみを支持し、樹脂で構成された天板支持体１２で支持している。両者は、シリコン接着剤１３で接着されている。天板支持体１２の下方には、本体を構成する外郭１４があり、天板支持体１２を支持、固定している。天板１１上には、焼肉等の調理を行う金属製の略角形の調理プレート１５が載置されている。天板１１の下方には、数ミリ空隙を設けた位置に調理プレート１５を加熱する加熱コイル１６が配置され、加熱コイル１６は下方から樹脂性の支持体１７により支持されている。加熱コイル１６の下方には加熱コイル１６を駆動し、かつ発熱部品を有するインバータ基板１８を配し、樹脂で構成された外郭１４に固定されている。外郭１４のインバータ基板１８横には、加熱コイル１６やインバータ基板１８及び本体内部を冷却風により冷却するファンモーター等で構成された冷却手段１９が配置されている。天板支持体１２の内周部には、全周つながったフランジ２０が設けられ、フランジ２０の側面上部には溝２１が設けられその溝２１に嵌合するように耐熱性のマイカで構成された絶縁板２２が載置、固定されている。インバータ基板１８上には、加熱コイル１６との電気的接続を行う、充電部である接続部２３さらに、絶縁板２２は、加熱コイル１６及びインバータ基板１８上の接続部２３を含む、充電部を完全に覆設する形で天板支持体１２に固定されている（加熱コイルよりも大きな形状となる）。上記ユニットを作成する際、絶縁板２２は、天板支持板１２と、天板支持板１２にシリコン接着剤１３で接着された天板１１により、挟着されることで、天板支持体１２に固定されている。
【００１７】
以上のように構成された誘導加熱調理器の本体構成について、以下その動作、作用を説
明する。
【００１８】
まず、上記構成において、この本体の天板部を組み立てることを考える。まず、天板支持体１２を用意する。そして天板支持体１２のフランジ２０に設けられた溝２０に絶縁板２２を嵌合させる。すると、天板支持体１２の中央部の空間になっていた部分が、絶縁板２２の形状で覆われる。その状態で、天板１１を天板支持体１２上に載置し、シリコン接着剤１３で両者を接着させる。これで天板部が完成する。天板部を加熱コイル１６等が構成された外郭１４にセットすると、絶縁板２２の形状は、充電部の加熱コイル１６を完全に覆設するような大きさとなっているため、上方から本体を見た場合、加熱コイル１６は露出していない。さらに、絶縁板２２は天板支持体１２に固定されているために下方に垂れることなく、加熱コイル１６との空隙を確実に確保することができる。この空隙を確保することで、加熱コイル１６上に冷却手段１９からの冷却風が流れ込み、加熱コイル１６の冷却性能を満足させることができる。
【００１９】
さらに、絶縁板２２は、加熱コイル１６を覆設する位置に固定されているため、使用者が本体を落として、天板１１を割ってしまった場合でも、絶縁板２２によって邪魔されて加熱コイル１６は露出することはない。また、インバータ基板１８上の接続部２３を含む充電部も露出することはない。よって、誤ってこの本体を通電したとしても、充電部に触れる心配はないため、感電することもない。
【００２０】
以上のように、本実施の形態においては、加熱コイルと絶縁板の空隙を確保するのに、別部品をつけなくても（天板支持体のみで）確実に構成させることができるため、安価に上記構成を実現することができるし、また、たとえ天板が割れても、充電部が露出しないため安全性の高い機器をも提供できる。
【００２１】
また、本実施の形態の説明は、充電部を加熱コイルで説明しているが、インバータ基板についても同様に充電部が露出しないため、安全性の高い機器をも提供できるものである。
【００２２】
なお、絶縁板を天板支持板にセットする際、位置決め用のリブや穴形状があれば、より絶縁板がセットしやすくできる。
【００２３】
また、天板の下に遮熱性の高い絶縁板が敷かれているため、加熱コイルやインバータ基板に対しての調理プレートからの輻射熱を大幅に遮熱する効果もあり、本体内の雰囲気温度を低減できる。それにより、本体からの排熱温度も低減することもできる。
【００２４】
（実施の形態２）
図５〜７は本発明の第２の実施の形態における誘導加熱調理器の天板１１を外した上面図、断面図、詳細断面図を示すものである。
【００２５】
図５〜７において、基本的な構成は実施の形態１と同様であるため、構成の違うところのみを説明する。天板支持体１２の内周部に載置面２４が一体で設けられ、載置面２４上には、角穴２５がある。絶縁板２２の端部には爪２６が設けられ、複数の角穴２５と、爪２６が嵌合することにより、絶縁板２２は天板支持体１２に固定されている。絶縁板２２は、天板支持体１２の空間部をこの形状で覆っている。
【００２６】
以上のように構成された誘導加熱調理器の本体構成について、以下その動作、作用を説明する。
【００２７】
動作、作用についても、実施の形態１の内容と違う部分についてだけ述べるため、同様
の内容は実施の形態１を参照とする。まず上記構成において、この本体の天板部を組み立てることを考える。まず、天板支持体１２を用意する。そして、天板支持体１２の載置面２４に設けられた複数の角穴２５に、絶縁板２２の端部にある複数の爪２６を絶縁板２２をたわませながら嵌合させる。すると、絶縁板２２は天板支持体１２に固定され、爪２６が角穴２５に複数で嵌合されていることから、絶縁板２２は天板支持板１２から外れることはない。絶縁板２２をセットすることで、天板支持体１２の中央部の空間になっていた部分が絶縁板の形状で覆われる。その状態で、天板１１を天板支持体１２上に載置し、シリコン接着剤１３で両者を接着させる。これで天板部が完成する。天板部を、加熱コイル１６等が構成された外郭１４にセットすると、絶縁板２２の形状は、充電部の加熱コイル１６を完全に覆設するような大きさとなっているため、上方から本体を見た場合加熱コイル１３は露出していない。さらに、絶縁板２２は天板支持体１２に固定されているために下方に垂れることなく、加熱コイル１６との空隙を確実に確保することができる。この空隙を確保することで、加熱コイル１６上に冷却手段１９からの冷却風が流れ込み加熱コイル１６の冷却性能を満足させることができる。
【００２８】
さらに、絶縁板２２は、加熱コイル１６を覆設する位置に固定されているため、使用者が本体を落として、天板１１を割ってしまった場合でも、絶縁板２２によって邪魔されて加熱コイル１６は露出することはない。また、インバータ基板１８上の接続部２３を含む充電部も露出することはない。よって、誤ってこの本体を通電したとしても、充電部に触れる心配はないため、感電することもない。
【００２９】
以上のように、本実施の形態においては、絶縁板を容易に天板支持体にセットでき、確実に加熱コイルと絶縁板の空隙を確保できるため、安価に組立性のよい機器を提供できるし、またたとえ天板が割れても、充電部が露出しないため安全性の高い機器をも提供できる。
【００３０】
当然、実施の形態１に記した同様の効果も得られる。
【００３１】
（実施の形態３）
図８〜１１は本発明の第３の実施の形態における誘導加熱調理器の天板１１を外した上面図、絶縁板２２を外した上面図、断面図、詳細断面図を示すものである。
【００３２】
図８〜１１において、基本的な構成は実施の形態１と同様であるため、構成の違うところのみを説明する。載置面２４上には、段差２７が設けられ、段差２７上にシリコン接着剤１３を塗布し、絶縁板２２を接着している。
【００３３】
動作、作用についても、実施の形態１の内容と違う部分についてだけ述べるため、同様の内容は実施の形態１を参照とする。まず、上記構成において、この本体の天板部を組み立てることを考える。まず、天板支持体１２を用意する。そして天板支持体１２の載置面２４上の段差２７にシリコン接着剤１３を塗布する。その上から絶縁板２２を位置を合わせて載置する。これで、両者は接着され固定される。その状態で、天板１１を天板支持体１２上に載置し、シリコン接着剤１３で両者を接着させる。これで天板部が完成する。天板部を加熱コイル１６等が構成された外郭１４にセットすると、絶縁板２２の形状は、充電部の加熱コイル１６を完全に覆設するような大きさとなっているため、上方から本体を見た場合、加熱コイル１６は露出していない。さらに、絶縁板２２は天板支持体１２に固定されているために下方に垂れることなく、加熱コイル１６との空隙を確実に確保することができる。この空隙を確保することで、加熱コイル１６上に冷却手段１９からの冷却風が流れ込み、加熱コイル１６の冷却性能を満足させることができる。
【００３４】
さらに、絶縁板２２は、加熱コイル１６を覆設する位置に固定されているため、使用者
が本体を落として、天板１１を割ってしまった場合でも、絶縁板２２によって邪魔されて加熱コイル１６は露出することはない。また、インバータ基板１８上の接続部２３を含む充電部も露出することはない。よって、誤ってこの本体を通電したとしても、充電部に触れる心配はないため、感電することもない。
【００３５】
以上のように、本実施の形態においては、加熱コイルと絶縁板の空隙を確保するのに、別部品をつけなくても（天板支持体のみで）確実に構成させることができるため、安価に上記構成を実現することができるし、またたとえ天板が割れても、充電部が露出しないため安全性の高い機器をも提供できる。また、絶縁板は確実に接着されているため、天板支持体から外れることがないため、より安全性は高められる。
【００３６】
当然、実施の形態１、２に記した同様の効果も得られる。
【００３７】
（実施の形態４）
図１２〜１４は本発明の第４の実施の形態における誘導加熱調理器の天板１１を外した上面図、絶縁板２２を外した上面図、断面図を示すものである。
【００３８】
図１２〜１４において、基本的な構成は実施の形態１と同様であるため、実施の形態１を参照とする。載置面２４上に絶縁板２２を天板支持体１２に固定するねじで構成された締結手段２８が構成されている。
【００３９】
以上のように構成された誘導加熱調理器の本体構成について、以下その動作、作用を説明する。
【００４０】
動作、作用についても、実施の形態１の内容と違う部分についてだけ述べるため、同様の内容は実施の形態１を参照とする。まず上記構成において、この本体の天板部を組み立てることを考える。まず、天板支持体１２を用意する。そして、天板支持体１２の載置面２４上に絶縁板２２をセットする。その後、天板支持体１２の固定位置と絶縁板２２の穴とを合わせて締結手段２８で固定する。その状態で、天板１１を天板支持体１２上に載置し、シリコン接着剤１３で両者を接着させる。これで天板部が完成する。天板部を、加熱コイル１６等が構成された外郭１４にセットすると、絶縁板２２の形状は、充電部の加熱コイル１６を完全に覆設するような大きさとなっているため、上方から本体を見た場合、加熱コイル１６は露出していない。さらに、絶縁板２２は天板支持体１２に固定されているために下方に垂れることなく、加熱コイル１６との空隙を確実に確保することができる。この空隙を確保することで、加熱コイル１６上に冷却風が流れ込み、加熱コイル１６の冷却性能を満足させることができる。
【００４１】
さらに、絶縁板２２は、加熱コイル１６を覆設する位置に固定されているため、使用者が本体を落として、天板１１を割ってしまった場合でも、絶縁板２２によって邪魔されて加熱コイル１６は露出することはない。また、インバータ基板１８上の接続部２３を含む充電部も露出することはない。よって、誤ってこの本体を通電したとしても、充電部に触れる心配はないため、感電することもない。
【００４２】
以上のように、本実施の形態においては、絶縁板を容易かつ確実に締結手段で天板支持体に固定でき、確実に加熱コイルと絶縁板の空隙を確保できるため、安価に組立性のよい機器を提供できるし、またたとえ天板が割れても、充電部が露出しないため安全性の高い機器をも提供できる。
【００４３】
当然、実施の形態１〜３に記した同様の効果も得られる。
【産業上の利用可能性】
【００４４】
以上のように、本発明にかかる誘導加熱調理器は、卓上で使用する調理機器等の用途にも適用できる。
【図面の簡単な説明】
【００４５】
【図１】本発明の実施の形態１における誘導加熱調理器の天板を外した上面図
【図２】本発明の実施の形態１における誘導加熱調理器の絶縁板を外した上面図
【図３】本発明の実施の形態１における誘導加熱調理器の断面図
【図４】本発明の実施の形態１における誘導加熱調理器の詳細断面図
【図５】本発明の実施の形態２における誘導加熱調理器の天板を外した上面図
【図６】本発明の実施の形態２における誘導加熱調理器の断面図
【図７】本発明の実施の形態２における誘導加熱調理器の詳細断面図
【図８】本発明の実施の形態３における誘導加熱調理器の天板を外した上面図
【図９】本発明の実施の形態３における誘導加熱調理器の絶縁板を外した上面図
【図１０】本発明の実施の形態３における誘導加熱調理器の断面図
【図１１】本発明の実施の形態３における誘導加熱調理器の詳細断面図
【図１２】本発明の実施の形態４における誘導加熱調理器の天板を外した上面図
【図１３】本発明の実施の形態４における誘導加熱調理器の絶縁板を外した上面図
【図１４】本発明の実施の形態４における誘導加熱調理器の断面図
【図１５】従来の誘導加熱調理器の天板を外した上面図
【図１６】従来の誘導加熱調理器の断面図
【符号の説明】
【００４６】
１１  天板
１２  天板支持体
１３  シリコン接着剤
１４  外郭
１５  調理プレート
１６  加熱コイル
１７  支持体
１８  インバータ基板
１９  冷却手段
２０  フランジ
２１  溝
２２  絶縁板
２３  接続部
２４  載置面
２５  角穴
２６  爪
２７  段差
２８  締結手段
【図１】
2010211980.tif 000003
【図２】
2010211980.tif 000004
【図３】
2010211980.tif 000005
【図４】
2010211980.tif 000006
【図５】
2010211980.tif 000007
【図６】
2010211980.tif 000008
【図７】
2010211980.tif 000009
【図８】
2010211980.tif 000010
【図９】
2010211980.tif 000011
【図１０】
2010211980.tif 000012
【図１１】
2010211980.tif 000013
【図１２】
2010211980.tif 000014
【図１３】
2010211980.tif 000015
【図１４】
2010211980.tif 000016
【図１５】
2010211980.tif 000017
【図１６】
2010211980.tif 000018